(57)【特許請求の範囲】
【請求項１】
信号線と電源供給線によりコンピュータと接続される周辺機器と、電源供給回路と、電流検出回路と、ＬＥＤ回路と、出力端子にＬＥＤ回路が接続されているモノステーブル・マルチバイブレータと、を備える周辺機器の動作表示回路において、
前記電源供給回路は前記周辺機器に電源供給し、
前記電流検出回路は前記周辺機器の動作に基づく前記電源供給回路から前記周辺機器に供給される電源電流の変化を検出することで出力信号を出力し、
前記電流検出回路の前記出力信号は前記モノステーブル・マルチバイブレータに入力され、
前記モノステーブル・マルチバイブレータは、入力された前記電流検出回路の前記出力信号が入力電圧しきい値よりも高い、または低い電位であることを検出することで出力信号を出力し、
前記モノステーブル・マルチバイブレータの前記出力信号により、前記出力端子に接続されている前記ＬＥＤ回路のＬＥＤが点滅することを特徴とする周辺機器の動作表示回路。
【請求項２】
前記電源供給回路から前記周辺機器へ電源供給する前記電源供給線に電流検出用抵抗を直列に挿入するか電流検出素子を付加することを特徴とする請求項１に記載の周辺機器の動作表示回路。
【請求項３】
前記電流検出回路の出力端子はコンデンサ結合により前記モノステーブル・マルチバイブレータの入力端子に接続されていることを特徴とする請求項１または２に記載の周辺機器の動作表示回路。
【請求項４】
前記モノステーブル・マルチバイブレータの入力端子には電源とグランド（基準電位）との間にプルアップ抵抗とプルダウン抵抗が接続され、又は一方のみが接続され、前記プルアップ抵抗と前記プルダウン抵抗で決定されるオフセット電圧は、前記モノステーブル・マルチバイブレータのしきい値よりも低い、または高い電位であることを特徴とする請求項１〜３のいずれかに記載の周辺機器の動作表示回路。
【請求項５】
前記モノステーブル・マルチバイブレータは時定数決定用の抵抗とコンデンサが備えられ、前記モノステーブル・マルチバイブレータの出力信号による前記ＬＥＤ回路のＬＥＤの点滅が視認できる時間となるように時定数を決定することを特徴とする請求項１〜４のいずれかに記載の周辺機器の動作表示回路。
【請求項６】
前記モノステーブル・マルチバイブレータの出力端子に接続される前記ＬＥＤ回路はＬＥＤとＬＥＤの電流制限のための抵抗が直列に接続されて電源、またはグランド（基準電位）に接続されていることを特徴とする請求項１〜５のいずれかに記載の周辺機器の動作表示回路。
【請求項７】
前記電流検出回路が電源電流変化を検出する前記電源供回路は前記コンピュータと前記周辺機器間でデータ信号を送受信する回路において用いられる電源供給回路であることを特徴とする請求項１〜６のいずれかに記載の周辺機器の動作表示回路。
【請求項８】
前記周辺機器は記憶装置であることを特徴とする請求項１〜７のいずれかに記載の周辺機器の動作表示回路。
【請求項９】
前記周辺機器はシリアルＡＴＡ仕様に準拠するＨＤＤであり、前記ＨＤＤはシリアルＡＴＡ仕様に準拠する信号ケーブルと電源ケーブルによりコンピュータと接続されることを特徴とする請求項１〜８のいずれかに記載の周辺機器の動作表示回路。
【発明の詳細な説明】
【技術分野】
【０００１】
本発明は、コンピュータのメインボートと信号ケーブル、電源ケーブルにより接続されるコンピュータで用いる周辺機器において、記憶装置が動作していることをＬＥＤにより視認できるようにした周辺機器の動作表示回路に関する。
【背景技術】
【０００２】
コンピュータの周辺機器としては、ＣＤ、ＤＶＤ、あるいはＨＤＤ等が用いられている。今後さらに、別の種類の周辺機器が用いられる可能性がある。コンピュータの記憶装置としては主にＨＤＤが用いられるが、従来はＩＤＥ仕様のＨＤＤが汎用的に用いられている。ＩＤＥ仕様ＨＤＤではコンピュータとＨＤＤ間の信号はパラレル・データ信号の仕様であり、データ信号以外にも多数の制御信号が用意されている。図３に示すようにＩＤＥ仕様では４０ピンのフラットケーブル用コネクタが用いられ、図４に示すように３９番ピンはＬＥＤと電流制限用抵抗を接続することにより、ＨＤＤが動作していることをＬＥＤが点滅することで視認できる構成が規格として決められている。
【０００３】
近年、コンピュータの高処理能力が伸展するとともに、ＨＤＤの大容量化が進み、パラレル・データ信号では信号の高速化に限界があることから、シリアル・データ通信によりコンピュータのメインボードとＨＤＤ間のデータ通信速度を高速化する必要が高まってきた。このため、シリアル・データ通信を行うシリアルＡＴＡ（直列ＡＴＡ、あるいはＳＡＴＡと称されることもある）が業界標準規格として制定され、高速なデータ伝送が可能となったこともあり、ＳＡＴＡ仕様に準拠するＨＤＤが次第に主流になってきた。このようなＳＡＴＡ仕様ではコンピュータ内での配線を簡易にすることもあり、別途、図５のＳｉｇｎａｌ  Ｓｅｇｍｅｎｔの表に示すように、信号ケーブルが用いられ、やはり図５のＰｏｗｅｒ  Ｓｅｇｍｅｎｔの表に示すように、電源ケーブルにより電源供給が行われている。
【発明の概要】
【発明が解決しようとする課題】
【０００４】
このようなＳＡＴＡ仕様に準拠するＨＤＤをコンピュータの記憶装置として用いることにより、高速化、大容量化に対応することが可能となったが、ＳＡＴＡ仕様の信号ケーブルは平衡信号の送受のみに定義・使用されており、ＩＤＥ仕様での３９番ピンの様にＬＥＤと電流制限用抵抗を接続することにより、ＨＤＤが動作していることを視認できるようなＬＥＤによる動作表示をするためのピンが規格として用意されていない。このため、ＳＡＴＡ２．０仕様では電源ケーブルの１１番ピンにオプション扱いでＬＥＤ端子として用いることができる端子が規格化されたが、１１番ピンは他の用途で用いる場合とＬＥＤ表示のために用いる場合の両方の用途がオプション扱いで規格されていることもありＳＡＴＡ仕様に準拠するＨＤＤ製品において電源ケーブルの１１番ピンを用いてＬＥＤによる動作表示をしている実際の製品例は見あたらない。
【０００５】
本発明は、上記のようなＩＤＥ仕様のＨＤＤでは規格化されていたが、ＳＡＴＡ仕様では明確に規定・使用されていないＬＥＤを用いてのＨＤＤ動作の視認化を容易に実現するための手段を提供する。また、ＳＡＴＡ仕様で規格化されている信号ケーブルを用いることなく、あるいは電源ケーブルの規格を変更することなく、また、新たに余分に付加することなく、容易に、また経済的にＨＤＤの動作している事を視認できる手段を提供することを目的としている。さらには、ＨＤＤ以外の周辺機器においても、ＬＥＤを用いて動作を視認表示する必要があるが、ＨＤＤ以外の周辺機器の動作を視認表示する場合にも、同様の手段により、容易に、経済的に適用できる動作表示手段を提供することを目的としている。
【課題を解決するための手段】
【０００６】
信号線と電源供給線によりコンピュータと接続される周辺機器と、電源供給回路と、電流検出回路と、ＬＥＤ回路と、出力端子にＬＥＤ回路が接続されているモノステーブル・マルチバイブレータと、を備える周辺機器の動作表示回路において、電源供給回路は周辺機器に電源供給し、電流検出回路は周辺機器の動作に基づく電源供給回路から周辺機器に供給される電源電流の変化に応じた出力信号を出力し、電流検出回路の出力信号はモノステーブル・マルチバイブレータに入力され、モノステーブル・マルチバイブレータは、入力された電流検出回路の出力信号が入力電圧しきい値よりも高い、または低い電位に変化することを検出することで出力信号を出力し、モノステーブル・マルチバイブレータの出力信号により、出力端子に接続されているＬＥＤ回路のＬＥＤが点滅する。
【０００７】
電源供給回路から周辺機器へ電源供給する電源供給線に電流検出用抵抗を直列に挿入するか電流検出素子を付加することが好ましい。
【０００８】
電流検出回路の出力端子はコンデンサ結合によりモノステーブル・マルチバイブレータの入力端子に接続されていることが望まれる。
【０００９】
モノステーブル・マルチバイブレータの入力端子には電源とグランド(基準電位)との間にプルアップ抵抗とプルダウン抵抗が接続され、または一方のみが接続され、プルアップ抵抗とプルダウン抵抗で決定されるオフセット電圧は、モノステーブル・マルチバイブレータのしきい値電位よりも低い、または高い電位であることが好ましい。
【００１０】
モノステーブル・マルチバイブレータは時定数決定用の抵抗とコンデンサが備えられ、モノステーブル・マルチバイブレータの出力信号によるＬＥＤ回路のＬＩＤの点滅が視認できる時間となるように時定数を決定することが望ましい。
【００１１】
モノステーブル・マルチバイブレータの出力端子に接続されるＬＥＤ回路はＬＥＤとＬＥＤの電流制限のための抵抗が直列に接続されて電源、またはグランド（基準電位）に接続されていることが考えられる。
【００１２】
電流検出回路が電源電流変化を検出する電源供回路はコンピュータと周辺機器間でデータ信号を送受信する回路において用いられる電源供給回路であることが好ましい。
【００１３】
周辺機器は記憶装置であることが好ましい。
【００１４】
周辺機器はシリアルＡＴＡ仕様に準拠するＨＤＤであり、ＨＤＤはシリアルＡＴＡ仕様に準拠する信号ケーブルと電源ケーブルによりコンピュータと接続されることが望ましい。
【発明の効果】
【００１５】
以上、本発明に係る周辺機器の動作表示回路によれば、周辺機機器は信号線と電源供給線によりコンピュータと接続され、周辺機器は電源供給回路により電源供給されている。コンピュータと周辺機器との間で信号の送受信が行われると周辺機器に供給する電源供給回路の電流が変化する、この電流変化を検出することで、モノステーブル・マルチバイブレータを起動しＬＥＤにより周辺機器の動作を表示するという簡易な回路構成であり、また、電流検出回路、モノステーブル・マルチバイブレータは汎用的な回路部品であることから、今後さらに各種の周辺機器が使用されるようになったとしても、機器の種類によらずに汎用的で、また汎用部品で構成可能という点において、経済的に適用できる動作表示回路を提供する。
【００１６】
さらに、電流検出回路は電源供給回路から周辺機器へ電源供給する電源供給線に電流検出用抵抗を直列に挿入するか、電流変化を検出する素子を付加する。この直列抵抗または検出素子は周辺機器の動作を妨げない小さな抵抗や素子である。周辺機器がコンピュータとの間で信号送受信の動作をすると、電源供給回路から周辺機器に供給される電源電流が僅かに変化する。電流検出回路はこの電流変化を検出し出力信号を出力する。
【００１７】
また、電流検出回路の出力端子はコンデンサ結合によりモノステーブル・マルチバイブレータの入力端子に接続されている。モノステーブル・マルチバイブレータの入力端子には電源とアースとの間にプルアップ抵抗とプルダウン抵抗が接続され、プルアップ抵抗とプルダウン抵抗で決定されるオフセット電圧は、モノステーブル・マルチバイブレータのしきい値電位よりも低い、または高い電位に設定されている。この抵抗は電流検出回路の負荷であると同時に、電流検出回路の信号出力変化が、確実にモノステーブル・マルチバイブレータのしきい値を超える変化となるオフセット電位を設定が可能になるという効果がある。
【００１８】
さらに、モノステーブル・マルチバイブレータは時定数決定用の抵抗とコンデンサを備え、モノステーブル・マルチバイブレータの出力信号によるＬＥＤの点滅が視認できる時間となるように時定数を決定することが可能であり、モノステーブル・マルチバイブレータの出力端子に接続されるＬＥＤは電流制限のための抵抗が直列に接続されて電源、またはグランド（基準電位）モノステーブル・マルチバイブレータの時定数を調整することで、モノステーブル・マルチバイブレータの出力信号のパルス幅をＬＥＤが視認できるように適切に調整可能となる。このように、周辺機器の動作を容易に視認できる動作表示回路を提供する。
【００１９】
周辺機器はＣＤ、ＤＶＤ、あるいはＨＤＤなどが考えられる。また、今後さらに別の種類の周辺機器が考えられる。電源供給回路に直列に抵抗または検出素子を接続する電源供給線は周辺機器の信号処理動作を行うための主たる電源供給線とする。周辺機器とコンピュータの間での信号送受信に伴う電源供給回路へ供給される電流の変化を検出する本発明の動作表示回路は小さな消費電力で、すべての周辺機器で実現できることから経済的な周辺機器の動作表示回路を提供する。
【００２０】
これまで説明してきた周辺機器の動作表示回路の最適な適用例は記憶装置に適用する動作表示回路となる。特には、シリアルＡＴＡ仕様に準拠するＨＤＤに適用されることが想定される。シリアルＡＴＡ仕様は信号線としての信号ケーブルが規定され、電源線としての電源ケーブルが規定されている。特に、ＳＡＴＡ仕様に準拠するＨＤＤが主流になっており、主として使用されているＳＡＴＡ仕様の周辺機器では、図５に示すような信号ケーブルと、電源ケーブルが用いられ、新しい仕様では、電源ケーブルの１１番ピンに複数の機能を定義（動作表示のためのＬＥＤ、またはスピンアップ制御）されているが、オプションであり、また、重複する用途で規定されていることもあり、実際のＨＤＤ製品に電源ケーブルの１１番ピンをＬＥＤによる動作表示に用いている製品例は見られない。本発明の周辺機器の動作表示回路はこのようなＳＡＴＡ仕様のＨＤＤに適用することで、標準の規格がどのように規格化されていても適用可能な周辺機器の動作表示回路を、容易に、また経済的に提供する。
【図面の簡単な説明】
【００２１】
【図１】本発明の周辺機器の動作表示回路である。
【図２】本発明の周辺機器の動作表示回路の詳細を示す図である。
【図３】従来技術のＩＤＥ仕様のＨＤＤで規格化されている端子配列を示す図である。
【図４】従来技術のＩＤＥ仕様のＨＤＤにおいてＬＥＤによりＨＤＤの動作表示をする回路を示す図である。
【図５】本発明が適用されるＳＡＴＡ仕様の端子配列を示す図である。
【図６】本発明が適用されるＨＤＤの主回路電流を示す図である。
【発明を実施するための形態】
【００２２】
以下、本発明を適用させた周辺機器の動作表示回路を図１に示す。図１において、１０は周辺機器に電源電圧を供給する電源供給回路、２０は周辺機器である。図１は状態の流れを模式図的に表したものであり、１つの線が１つの配線を示していない。周辺機器２０の具体的な機器としてはＣＤ、ＤＶＤ、あるいはＨＤＤが考えられる。図示していないコンピュータと周辺機器２０の間では、やはり図示していない信号線を経由してデータ信号の送受信が行われる。周辺機器には一般的には複数の電源が供給される。ＣＤ、ＤＶＤ、あるいはＨＤＤ等の周辺機器は周辺機器内部の記憶媒体が回転動作するために、モータが使用される事が多い。このため、複数の電源供給の１つはモータを駆動するための電源供給となる。また、コンピュータと周辺機器２０の間でデータ信号の送受信が行われるが、周辺機器２０の内部は各種の半導体回路が使用される。このため、３．３Ｖ、５Ｖというような複数の電源供給が使用される場合がある。
【００２３】
電源供給回路１０のコンピュータと周辺機器２０の間で行われるデータ信号の送受信処理に使用される主たる電源から、周辺機器２０に電源が供給されており、その電源供給線における周辺機器２０の消費電流の変化を検出する電流検出回路３０を接続する。コンピュータと周辺機器との間でデータ信号の送受信が行われると、周辺機器２０で電力が消費されることから、電流変化が生じ、電源供給回路１０から周辺機器２０に流れる電流は図６に示す例のように変化する。電流検出回路３０はこのような僅かな電流変化を検出し、必要な振幅変化に増幅して出力する。
【００２４】
電流検出回路３０の出力はモノステーブル・マルチバイブレータ４０に入力される。ここで、モノステーブル・マルチバイブレータは単安定マルチバイブレータ、あるいはワンショット・マルチバイブレータとも呼ばれる回路であり、モノステーブル・マルチバイブレータ４０に立ち上がり又は立ち下がりの変化が入力された時に、モノステーブル・マルチバイブレータ４０の出力端子には、入力変化よりも長いパルス幅のパルス信号を出力する回路であることは一般に知られている。
【００２５】
モノステーブル・マルチバイブレータ４０の出力端子にＬＥＤ回路５０を接続することで、モノステーブル・マルチバイブレータ４０からの長いパルス幅の出力信号によりＬＥＤ回路５０のＬＥＤが点灯する。
【００２６】
以上、説明したように、コンピュータと周辺機器２０の間でデータ信号の送受信が行われることで生じる電源供給回路１０からの僅かな電流変化を電流検出回路３０で検出し、電流検出回路３０からの電流変化に応じた変化の出力信号が、モノステーブル・マルチバイブレータ４０の入力端子に入力される。モノステーブル・マルチバイブレータ４０に入力された電流変化に応じた変化の信号から長いパルス幅の出力信号を出力し、この出力信号によりＬＥＤ回路５０のＬＥＤを点灯する。このように構成され、動作することで、コンピュータと周辺機器２０の間でデータ信号の送受信が行われていること、つまりは周辺機器２０が動作していることがＬＥＤにより視認確認できることになる。
【００２７】
本発明のより具体的な実現形態を、図２を用いて説明する。電源供給回路１０は周辺機器２０に電源を供給する。周辺機器２０の具体的な機器としてはＣＤ、ＤＶＤ、あるいはＨＤＤが考えられる。図示していないコンピュータと周辺機器２０の間では、やはり図示していない信号線を経由してデータ信号の送受信が行われる。周辺機器には一般的には複数の電源が供給される。ＣＤ、ＤＶＤ、あるいはＨＤＤ等の周辺機器は周辺機器内部の記憶媒体が回転動作するために、モータが使用される事が多い。このため、複数の電源供給の１つはモータを駆動するための電源供給となる。また、コンピュータと周辺機器２０の間でデータ信号の送受信が行われるが、周辺機器２０の内部は各種の半導体回路が使用される。このため、３．３Ｖ、５Ｖというような複数の電源供給回路が使用される場合がある。
【００２８】
ここでは、例としてコンピュータと周辺機器２０の間で行われるデータ信号の送受信で使用される主たる電源として５Ｖの電源を用いて行われるものとして、５Ｖの電源供給回路を前提として説明する。本発明は、５Ｖの電源供給回路に限定されるものではなく、３．３Ｖの電源供給であっても、他の電源供給であっても適用可能であり、さらに将来的に別の電圧を供給する電源供給回路が使用される場合にも適用される。
【００２９】
電源供給回路１０から周辺機器２０に電源供給する主たる電源供給の電源供給線には直列に電流検出用抵抗３１を挿入してある。電流検出用抵抗３１の抵抗値は周辺機器２０に供給される電流により生じる電圧降下分だけ、電源供給回路１０が周辺機器２０に供給する電圧が低下することから、周辺機器に供給する電流量の最大電流値において、電流検出用抵抗３１により生じる電圧降下は５０ｍＶ〜１００ｍＶとすることが望ましい。しかし、電流検出用抵抗３１による電圧降下量は５０ｍＶ〜１００ｍＶの範囲内でなければいけないということではない。５０ｍＶより低い電圧降下となるように電流検出用抵抗３１の抵抗値を選択してもよい。１００ｍＶよりも大きな電圧降下となるように電流検出用抵抗３１の抵抗値を選択してもよい。この電流検出用抵抗３１による電圧降下が周辺機器２０の動作に影響を与えない値に選択する。
【００３０】
ここで、コンピュータと周辺機器２０との間でデータ信号の送受信が行われると、周辺機器２０内で電力が消費されることから、僅かな電流変化ではあるが、電源供給回路１０から周辺機器２０に流れる電流が変化する。このため、電流検出用抵抗３１の両端にはこの電流変化に比例する電圧降下の変化が発生する。電流検出回路３０はこのような僅かな電流変化を検出し必要な振幅に増幅して出力する。
【００３１】
電流検出回路３０は、電流検出用抵抗３１の両端の電流による電圧降下を、電流検出増幅回路３２により必要な振幅に増幅して出力する。電流検出用抵抗３１の両端に発生する電位差は、電流検出用抵抗３１に流れる電流量に比例することから、電流検出回路３０の出力端子には電流検出用抵抗３１に流れる電流量に比例する増幅された電圧が出力されることになる。換言すれば、電流検出回路３０の出力端子には、周辺機器２０に供給される電流量に比例する電圧が出力されることになる。
【００３２】
電流検出回路３０の出力端子は、図２に示す様に、結合コンデンサ４１を経由してプルアップ抵抗４２とプルダウン抵抗４３の接続点に接続されていると同時にモノステーブル・マルチバイブレータ４０に接続されている。このことは、電流検出回路３０の出力電圧の交流変化成分がモノステーブル・マルチバイブレータ４０に入力されることになる。即ち、電流供給回路１０から周辺機器２０に供給される電流量は直流成分と電流変化分という交流成分があるが、電流変化量に比例する電流検出回路３０の出力電圧の交流成分に相当する変化がモノステーブル・マルチバイブレータ４０に入力されることになる。
【００３３】
ここで、図２に示す様に、プルアップ抵抗４２は電源電位（図２においてはＶｃｃと表示）に接続され、プルダウン抵抗４３はグランド（基準電位）に接続される。但し、プルアップ抵抗４２とプルダウン抵抗４３は必ずしも両方を使用する必要は無く、どちらか一方の必要とする抵抗のみでも良い。このようにプルアップ抵抗４２とプルダウン抵抗４３のそれぞれの端を電源とグランドに接続することで、プルアップ抵抗４２とプルダウン抵抗４３の接続点は、プルアップ抵抗４２とプルダウン抵抗４３の抵抗値の比で電源電圧を割った値に相当する値の電圧となる。このようにプルアップ抵抗４２とプルダウン抵抗４３の抵抗比により定まる一定の電圧値をオフセット電圧と呼ぶ。
【００３４】
プルアップ抵抗４２とプルダウン抵抗４３の接続点には、先に説明したようにコンピュータと周辺機器２０との間でデータ信号の送受信が行われる際に生じる電源供給回路１０から周辺機器２０に供給される電流の電流変化成分に比例する電圧変化量に相当する信号変化が入力されることから、プルアップ抵抗４２とプルダウン抵抗４３の接続点の電位は、オフセット電圧からこの信号変化に相当する電圧変化だけ電圧が変化することになる。
【００３５】
図２に示すモノステーブル・マルチバイブレータ４０は単安定マルチバイブレータ、あるいはワンショット・マルチバイブレータとも呼ばれる回路である。モノステーブル・マルチバイブレータ４０は、入力電圧のしきい値よりも高い電位の信号変化又は逆のしきい値よりも低い電位への信号変化が入力されると、モノステーブル・マルチバイブレータ４０の出力端子には、入力された信号変化よりも長いパルス幅のパルス信号を出力する回路であることは一般に知られている。また、プルアップ抵抗４２とプルダウン抵抗４３により形成されるオフセット電圧は、モノステーブル・マルチバイブレータ４０への入力電圧の変化がのしきい値に対して十分な大きさの変化となるようにプルアップ抵抗４２とプルダウン抵抗４３の抵抗値を選択する。
【００３６】
モノステーブル・マルチバイブレータ４０の出力端子にはＬＥＤ回路５０（表示ＬＥＤ５２と電流制限用抵抗５１と）が直列接続されて、グランド（基準電位）に接続されている。なお、ＬＥＤ回路５０はグランド（基準電位）に接続するのではなく電源に接続しても良い。電源に接続する場合には、表示ＬＥＤ５２の向きは適切に変更する必要がある。
【００３７】
以上、図２に示される本発明のより具体的な構成で説明したように、コンピュータと周辺機器２０との間でデータ信号の送受信が行われることで、電源供給回路１０から周辺機器２０に供給される電流が僅かに変動するが、僅かな電流の変動を電流検出回路３０により検出・増幅されて、モノステーブル・マルチバイブレータ４０に、結合コンデンサ４１を介し、電流変動成分が入力されることになる。モノステーブル・マルチバイブレータ４０は時定数決定用抵抗４５と時定数決定用コンデンサ４４により決定される時定数に基づいて長いパルス幅のパルス信号を出力する。モノステーブル・マルチバイブレータ４０の出力に接続されている表示ＬＥＤ５２は、コンピュータと周辺機器２０との間でデータ信号の送受信が行われる毎に表示ＬＥＤ５２は長いパルス信号により点滅することになる。このように構成されていることで、周辺機器が動作を行っていることがＬＥＤにより視認できることになる。
【００３８】
本発明は周辺機器とコンピュータとの接続が業界標準により規格化されているが、周辺機器が動作していることを視認表示する方法が必ずしも規格化されていないような場合において、周辺機器の電源供給回路に電流検出回路と、その出力をモノステーブル・マルチバイブレータに入力し、その出力端子にＬＥＤを接続することで、周辺機器が動作していることを視認化する回路を提供している。特に周辺機器としてＨＤＤが用いられている場合には、従来の仕様であるＩＤＥ仕様のＨＤＤではＬＥＤによる視認化回路がＩＤＥ仕様として規格化されているが、より高速なＨＤＤに対応するＳＡＴＡ仕様ではパラレル信号インタフェースがより高速なデータ信号の送受信が可能なシリアル信号インタフェースに変更され、またインタフェースをより小型化するために信号ケーブルの端子数が減ったこともあり、ＨＤＤが動作していることを視認化表示するための端子が必須の端子配列としては規格化されていない。このため、ＨＤＤが動作していることを視認化表示できないＨＤＤ製品が販売されている現状であり、コンピュータの製造・検査、等において不便な状況となっている。また、コンピュータのユーザにとって、ＨＤＤが動作していることを表示するＬＥＤがコンピュータに表示されないことになり、コンピュータが動作しているのか、あるいは故障で停止しているのか不明であり、不安感を与える。このような各種の不都合を解消することが可能となる。
【００３９】
このように、本発明は、既に知られている電流検出回路と、やはり既に知られているモノステーブル・マルチバイブレータを組み合わせて、周辺機器とコンピュータを接続するケーブルの端子配列が業界標準において、どのように規格化されたとしても、ＬＥＤによる視認化を提供できる回路を提供する。さらには、電流検出回路とモノステーブル・マルチバイブレータは既知であり、汎用ＩＣとして市販されている回路部品を使用することが可能であることから、経済的にＬＥＤによる視認化のための表示回路を提供する。
【００４０】
今後、周辺機機器の記憶容量はますます大容量化する。またそれに伴い、コンピュータと周辺機器との間のデータ信号を送受信する伝送速度もますます高速化する。このため、コンピュータと周辺機器との間を接続する信号線はますます高速な伝送速度となる。その一方で、コンピュータはますます小型化の要請が強まることから、コンピュータと周辺機器を接続する信号線は、今迄以上に少ない信号線数で高速伝送速度を実現する必要が強くなる。従って、ＩＤＥ仕様のＨＤＤ等では標準的に規格化されていたＬＥＤを用いて周辺機器が正常に動作していることを視認化することが可能であったが、今後の周辺機器においては、信号線ケーブルにそのための信号線を設ける余地がなくなってくることが考えられる。本発明は、周辺機器に電源供給する電源供給線の電流変化を検出することで、周辺機器が動作していることをＬＥＤにより視認化する表示回路を提供するものであり、今後、周辺機器がますます大容量化、高速化、小型化する技術動向の中で、非常に有効なＬＥＤによる視認化表示回路を提供する。
【符号の説明】
【００４１】
１０            電源供給回路
２０            周辺機器
３０            電流検出回路
３１            電流検出用抵抗
４０            モノステーブル・マルチバイブレータ
４１            結合コンデンサ
４２            プルアップ抵抗
４３            プルダウン抵抗
４４            時定数決定用コンデンサ
４５            時定数決定用抵抗
５０            ＬＥＤ回路
５１            電流制限用抵抗
５２            表示ＬＥＤ
【図１】
0005298084.tif 000002
【図２】
0005298084.tif 000003
【図３】
0005298084.tif 000004
【図４】
0005298084.tif 000005
【図５】
0005298084.tif 000006
【図６】
0005298084.tif 000007